(57)【要約】      （修正有）【課題】シャッタの開閉運動の最後の部分を緩衝可能にする緩衝装置を提供する。【解決手段】緩衝ボックス２０を、個々のシャッタ３を支持し摺動させるために、中央のブラケット、またさらに、緩衝ボックス２０の両端に配置したブラケット１，２上に取り付ける。このボックス２０は、回転タイプの２つの対向する制動装置を備え、その歯付きハブが、ボックス２０自体に固定されたラックと直接噛み合い、各制動装置が、ボックス２０自体によって案内されるそれぞれの摺動装置に結合され、弾性装置によって一端部に結合され、その反対側の端部が、もう一方の摺動装置に結合され、両方の摺動装置に、緩衝される移動の最後の区間の対応する作用を作動または停止させるためのフック４８，５８を設けて構成する。【選択図】図４
0003149773.tif 000002
【実用新案登録請求の範囲】
【請求項１】
シャッタの開閉運動の最後の部分を緩衝可能にするために、単一のアイテムとして各シャッタ（３）または摺動仕切りに取り付けられる、特に家具用の摺動シャッタ（３）である摺動シャッタ（３）を開閉するための衝装置であって、緩衝ボックス（２０）で基本的に製作され、前記緩衝ボックス（２０）は、前記個々のシャッタ（３）を支持し摺動させるための、それぞれのブラケット（９）を用いて、またさらにはブラケット（１、２）上に取り付けられるべきであり、このボックス（２０）が、回転タイプの２つの対向する制動装置（７０’、７０）を備え、その歯付きハブが、前記ボックス（２０）自体に固定されたラック（３６）と直接噛み合い、各制動装置（７０’、７０’’）が、前記ボックス（２０）自体によって案内されるそれぞれの摺動装置（４０または５０）に結合され、弾性装置（６０）によって一端部に結合され、その反対側の端部が、もう一方の摺動装置（５０または４０）に結合され、両方の摺動装置が、緩衝される移動の最後の区間の対応する作用を作動または停止させるためのフック（４８、５８）を備えることを特徴とする、緩衝装置。
【請求項２】
緩衝ボックス（２０）が、前記下面上にある長手方向下方スリット（２４）を有する構築されたボックス基部（２１）で製作され、そのフランクのうちの１つが、カバー（３０）の縁部または案内壁（３１）によって好ましくは閉じられ、前記下方スリット（２４）は、１つまたは複数の前記シャッタ（３、３’）を平行移動させるためのトラック（６、６’）付近に取り付けられた、いくつかのストライカ（８０、８０’および／または８１、８１’）と差し向かいで、前記ボックス（２０）の前記内部緩衝部分を、引っ掛け、かつ外すために、前記外部作動部品と連結させることができることを特徴とする、請求項１に記載の装置。
【請求項３】
前記構築されたボックスまたは基部（２１）が、長手方向空洞（２２）を有し、前記長手方向空洞（２２）が、前記構築されたボックス基部（２１）の前記長手方向空洞（２２）の境界を画定する前記カバー（３０）と協働して、１対の摺動装置（４０、５０）を収容し、その長手方向平行運動を案内することができることを特徴とする、請求項２に記載の装置。
【請求項４】
各摺動装置（４０、５０）が、粘性流体回転タイプの前記制動装置（７０’、７０’’）を有し、その歯付きピニオン（７１’、７１’’）が、前記ボックス（２０）に長手方向で結合されたラック（３６）の歯と直接噛み合うことを特徴とする、請求項２または３に記載の装置。
【請求項５】
前記ラック（３６）が前記カバー（３０）と一体であることを特徴とする、請求項４に記載の装置。
【請求項６】
前記摺動装置（４０、５０）を、それらの装置（７０’、７０’’）の制動力を超えて互いに近づけるために使用される、牽引により動作する前記弾性装置（６０）によって、同じ摺動装置（４０、５０）が互いに結合されることを特徴とする、請求項１から４のいずれか一項に記載の装置。
【請求項７】
前記弾性装置（６０）が、特に弾性材料製の２重のらせん牽引ばね（６１、６４）で製作され、一方の前記ばね（６１）が、頭部フックまたは小穴（６２、６３）を備え、ばね（６４）の内側にありそれと同軸のもう一方のばねが、２つの摺動装置（４０、５０）上に引っ掛けることができる頭部フックまたは小穴（６５、６６）を備えることを特徴とする、請求項６に記載の装置。
【請求項８】
前記構築されたボックス基部（２１）の前記下方スリット（２４）が、１対の横方向スロット（２５）および／またはその２つの端部付近に取り付けられたハウジング（２６）を有することを特徴とする、請求項２および請求項１または３から７のいずれか一項に記載の装置。
【請求項９】
前記カバー（３０）が、前記構築されたボックス基部（２１）の前記下方スリット（２４）より少し短い、小さい側壁または縁部（３３）を有することを特徴とする、請求項２および請求項１または３から７のいずれか一項に記載の装置。
【請求項１０】
前記摺動装置（４０、５０）が、それらの対応するフック（４８、５８）に連結され、前記フックが、前記ボックス（２０）の外側にあり、かつ、これらのホック（４８、５８）を、前記シャッタ（３、３’）を摺動および平行移動させるためのトラック（６、６’）付近の、適当な位置に取り付けられたストライカ（８０、８０’および／または８１、８１’）と接触させることにより、前記弾性装置（６０）の牽引作用ならびに前記制動装置（７０’、７０’’）の前記制動作用を作動させることができることを特徴とする、請求項１から９のいずれか一項に記載の装置。
【請求項１１】
そのようなシャッタ（３、３’）の、外部または手動の開閉に続いて、前記フック（４８、５８）を、前記下方スリット（２４）の、それらの対応するスロットまたはハウジング（２５、２６）内に収容することができ、前記フック（４８、５８）は、それらの接触ハウジング（４８ｄ、５８ｄ）上に作用する、同じストライカ（８０、８０’および／または８１、８１’）との新しい接触により、前記フックが前記ヒンジ（４７、５７）上で回転し、それらの対応する摺動装置（４０、５０）とともにそれらのスロットまたはハウジング（２５、２６）から解放されるまで、そこに係合させられたままであり、前記弾性装置（６０）の前記牽引反動および前記制動装置（７０’、７０’’）の前記制動要素を用いて、所望の緩衝を生じることを特徴とする、請求項２および請求項１または３から１０のいずれか一項に記載の装置。
【請求項１２】
そのようなシャッタ（３、３’）の外部または手動の開閉に続いて、前記フック（４８、５８）の湾曲部（４８ｃ、５８ｃ）が、前記カバー（３０）の前記小さい側壁（３３）の前記端部上に引っ掛かり、それらの接触ハウジング（４８ｄ、５８ｄ）上に作用する前記同じストライカ（８０、８０’および／または８１、８１’）との新しい接触により、前記フックがそれらのヒンジ（４７、５７）上で回転し、前記小さい側壁（３３）の前記端部にて前記湾曲部（４８ｃ、５８ｃ）をそれらの対応する摺動装置（４０、５０）とともに解放するまで、そこに係合したままとなることができ、前記対応する装置の前記弾性装置（６０）および前記制動要素（７０’、７０’’）の前記牽引反動を用いて、前記所望の緩衝を生じることを特徴とする、請求項２および請求項１、または３から１０のいずれか一項に記載の装置。
【請求項１３】
安全フック（９０）が、前記フック（４８）に結合され、同時に安全フック（１００）が、もう一方のフック（５８）に結合され、安全フック（９０、１００）が、傾斜壁部（９０ｂ、１００ｂ）に隣接する曲げられた壁部（９０ａ、１００ａ）を備え、前記壁部（９０ａ、１００ａ）は、前記装置（２０）の取付けの最初の段階、またはそれが前記摺動シャッタ（３、３’）に新たに取り付けられるときの後の段階で、前記ストライカ（８０、８０’および／または８１、８１’）に引っ掛けることができることを特徴とする、請求項１から１２のいずれか一項に記載の装置。
【請求項１４】
前記緩衝ボックス（２０）を、シャッタ（３、３’）の前記上面の任意の位置に取り付けることができ、同様に、上述の前記解決法と比べて逆さまにすることができ、結果的に、前記ストライカ（８０、８０’および８１、８１’）の前記位置を調整することを特徴とする、請求項１から１３のいずれか一項に記載の装置。
【考案の詳細な説明】
【技術分野】
【０００１】
本発明は、シャッタが開閉する間隙または開口部の端部にある到着点付近で、これらのシャッタの運動を緩衝する（ｃｕｓｈｉｏｎ）ために、特に家具または摺動仕切り用の何らかの摺動扉またはシャッタの好ましくは支持ブラケットのうちの１つに取り付けられる、装置の設計に関する。
【背景技術】
【０００２】
たとえば家具、陳列窓、作り付けの洋服箪笥、または摺動隔壁などのために、摺動式の扉またはガラスの仕切りを使用することは、ヒンジシステムに比べて、開閉を可能にするための大きい空間を設けずに大幅に大きい開閉表面の設計を可能にすることにより、特に有利である。
【０００３】
よく知られている技術によれば、何らかの摺動扉またはガラスの仕切りは、一般に、正確にはそれらのサイズがかなり大きいことにより、その上縁部に固定された１対のブラケットまたはキャリッジによって支持される。各キャリッジは、対応する摺動ホイールを有し、そのレースがトラックに結合される。トラックは、家具のアイテムの上面上、または閉じられるべき空洞上に取り付けられ、一方、上方トラックと基本的に平行なストライカまたは下方案内部は、通常、摺動時も常に垂直位置に留まるために、たとえば１９７８年の欧州特許第０００１９５６号、１９９０年の米国特許第５，２４７，７６３号、または１９９２年の欧州特許第０５６７２６２号によって提案および例示される、無数の構造的解決法を用いて、シャッタ自体に対向する側部を押す。
【０００４】
この同じよく知られた技術は、実際、１対のシャッタによって閉じられるように並べて配置された１対の空洞を通常必要とし、これらのシャッタは、並べて配置された対応する平行のトラックおよび案内部上を摺動しながら、２つの空洞のうちの一方を完全に開くことを可能にし、開かれたシャッタを閉じられた空洞のシャッタ上に重ねる一方、両方のシャッタが対応する空洞を閉じるときは、シャッタはいずれにしても２つの平行な平面上に取り付けられ、それらの中心側の側部のうちの一方の縁部が、理想的に位置合せされ、またはより多くの場合、もう一方のシャッタの縁部にわずかに重なる。
【０００５】
これらのよく知られたすべての解決法は通常、シャッタ自体のサイズ、したがって重量に比例した物理的な力で、シャッタをそのトラックに沿って押したり引いたりすることにより、空洞を開閉することができる。
【０００６】
開放用または閉鎖用ドア・ストップに対してシャッタを強く押す、過剰な力を防止するために、同じよく知られた技術は、「ストッパ」またはキャッチの取付けを構想し、「ストッパ」またはキャッチは、細い座部または区間を有し、その中に、移動するシャッタのためのラッチを入れることができ、移動するシャッタは、そのドア・ストップに到達する前に、摩擦によりその推進を減速することができる。
【０００７】
しかしこの方法は、時間が経つと磨耗することと、特にシャッタが過剰な力で押したり引いたりされるときに、キャッチの細い区間がシャッタのラッチを保持できない場合、シャッタが前記「ストッパ」に乗り上がり、ドア・ストップに衝突し、戻って動き、開かれる空洞を部分的に塞ぐ傾向があり、後にシャッタ自体の位置の手動調整、ならびに衝突された部品からの振動による頻繁な損傷を伴うこととにより、あまり有効ではないことが示されてきた。
【０００８】
より最近の技術は、この欠点を克服することを目指し、シャッタが完全な開放または閉鎖に近づくときに、シャッタの移動の最後の部分を緩衝し、弾性圧縮装置の吸収能力を利用し、弾性装置は、それに連結された特別なピストンのチャンバ内に徐々に放出されるその反動力を用いるために、移動するシャッタの縁部と接触させられ、ピストンはたとえば、シャッタ自体の２つの側部それぞれのための、欧州特許第１３４８８２８号および欧州特許第１４２６５３５号によって提案されるような空圧ピストンである。
【０００９】
しかし、上述の知られた緩衝解決法はそれぞれ、それらの有効性を制限し、それらの用途を、頻繁な使用を対象としない家具および摺動仕切りのいくつかの単純な例に縮小する、目立った問題および欠点を有する。
【００１０】
第１の欠点は、よく知られているように、ピストンが、それらの座部を保持するための固定性によって制限される寿命を有し、したがって、たとえば家具の扉にとって正当であるとは思われない予測可能に計画された保守プログラムを必要とすることである。
【００１１】
連結される弾性装置およびピストンの第２の欠点は、調整されない衝突および突進（ｔｈｒｕｓｔｉｎｇ）によって、ピストンが変形し、いずれにしても予想されるよりずっと頻繁に劣化する傾向があり、開閉される家具またはシャッタのアイテムの制限された寿命にさらに影響を及ぼすことである。
【００１２】
この最近の技術の別の欠点は、よく知られているように、通常の牽引ばねが、推力を、均等にではなくその拡張または伸張に比例して吸収および伝達し、その結果、様々な間隙開閉位置でシャッタを押すために必要とされる力を、増大させることである。
【００１３】
最後に、上記のような、ばねおよびピストンを用いる緩衝のよく知られた形はすべて、装置がトラック上に直接取り付けられる場合、最大でも２つのシャッタの取付けを可能にするに過ぎず、すなわち、可能な第３の摺動シャッタの緩衝装置の平行移動を妨げる。
【特許文献１】欧州特許第０００１９５６号
【特許文献２】米国特許第５，２４７，７６３号
【特許文献３】欧州特許第０５６７２６２号
【特許文献４】欧州特許第１３４８８２８号
【特許文献５】欧州特許第１４２６５３５号
【考案の開示】
【考案が解決しようとする課題】
【００１４】
この革新の主な任務は、実際ブラケットにつき１つの装置の取付けを必要とせず、またはいずれにしても、同じシャッタの開放側用の装置および閉鎖側用の装置の取付けを必要とせずに、摺動シャッタを開閉するときの移動を最終的に緩衝するための単一の装置を、たとえば家具などのアイテム上に構築可能とすることである。
【００１５】
この任務において、この革新の別の好ましい目的は、移動を制限するための面倒な妨害システムを使わなくても、その質量、必要とされる推力または牽引力の可変性、ならびに弾性装置の最大伸張とは無関係にシャッタの最終的な移動を調整するために、適切な弾性装置の反動を用いて、制動装置の作用の平衡を常にとることができることである。
【００１６】
この革新の別の好ましい目的は、調整可能、適合可能、かつ各タイプの摺動シャッタで相互交換可能な、緩衝装置を構築することができることである。
【００１７】
この革新の別の好ましい目的は、推力または引っ張る力を自動的に減衰し、シャッタがその扉ストップと衝突する毎に現在生じる損傷を避けるための、装置の動作の有効性および一貫性を長期にわたり保証することである。
【００１８】
この革新の別の好ましい重要な目的は、現在のピストンの封止部の磨耗、ならびに過度の突進による打撃または衝突に対する封止部の脆弱性による、計画されたまたは頻繁な保守を必要としないことである。この革新のさらに好ましい目的は、この緩衝装置を、対応する適正な開閉動作を妨げる障害を生み出さずに、３つ以上のシャッタを有する家具のアイテムまたは空洞上に配置することを可能にすることである。
【課題を解決するための手段】
【００１９】
これらおよびその他の目的は、請求項１の特徴による緩衝装置を用いて達成される。好ましい実施形態は、従属請求項の主題である。
【００２０】
特に、シャッタの開閉運動の最後の部分を緩衝可能にするために、単一のアイテムとして各シャッタまたは摺動仕切りに取り付けられる、特に家具用の摺動シャッタである摺動シャッタを開閉するための好ましい緩衝装置は、緩衝ボックスで基本的に製作され、緩衝ボックスは、個々シャッタを支持し摺動させるための、それぞれのブラケットを用いて、またさらにはブラケット上に取り付けられるべきであり、このボックスが、よく知られた粘性流体回転タイプの２つの対向する制動装置を備え、その歯付きハブが、ボックス自体に固定されたラックと直接噛み合い、各制動装置が、ボックス自体によって案内されるそれぞれの摺動装置に結合され、弾性装置によって一端部に結合され、その反対側の端部が、もう一方の摺動装置に結合され、両方の摺動装置が、緩衝される移動の最終区間の対応する作用を作動または停止させるためのフックを備えることを特徴とする。
【００２１】
特に、そのような装置は好ましくは、緩衝ボックスが、下面上にある長手方向下方スリットを有する構築されたボックス基部で製作され、そのフランクのうちの１つが、カバーの縁部または案内壁によって好ましくは閉じられ、前記下方スリットは、ボックスの内部緩衝部分を、１つまたは複数のシャッタを平行移動させるためのトラック付近に取り付けられたいくつかのストライカと差し向かいで、引っ掛け、かつ外すために、外部作動部品と連結させることができることを特徴とする。好ましくは、構築されたボックスまたは基部は、長手方向空洞を有し、長手方向空洞は、基部の前記長手方向空洞を限定するカバーと協働して、１対の摺動装置を収容し、その長手方向の平行移動を案内することができる。各摺動装置は、粘性流体回転タイプの制動装置を有し、その歯付きピニオンは、長手方向でボックスに結合されたラックの歯と直接噛み合う。そのような装置は、ラックがカバーと一体である場合に好ましい。
【００２２】
そのような装置では、それらの装置の制動力を超えて摺動装置を互いに近づけるために使用される、牽引によって動作する弾性装置によって、同じ摺動装置を互いに結合することができ、弾性装置は、好ましくは、特に弾性材料製の２重のらせん牽引ばねで製作され、一方のばねは、頭部フックまたは小穴を備え、ばねの内側にあるそれと同軸のもう一方のばねは、２つの摺動装置上に引っ掛けることができる頭部フックまたは小穴を備える。
【００２３】
ボックス構造の下方スリットは、１対の横方向スロット、および／またはその２つの端部付近に取り付けられたハウジングを有することができる。
【００２４】
好ましくは、カバーは、ボックス基部の下方スリットの長さよりも少し短い、小さい側壁または縁部を有する。
【００２５】
特に、摺動装置は好ましくは、それらの対応するフックに連結されており、フックは、ボックスの外側にあり、かつ、シャッタの摺動および平行移動のためのトラック付近の適当な位置に取り付けられたストライカと、それらのフックとの接触により、弾性装置の牽引作用ならびに制動装置の制動作用を作動させることができる。
【００２６】
そのようなシャッタの、外部または手動の開閉に続いて、フックを、下方スリットの、それらの対応するスロットまたはハウジング内に収容することができ、フックは、それらの接触ハウジング上に作用する同じストライカとの新しい接触によって、フックをヒンジ上で回転させ、それらの対応する摺動装置とともにそれらのスロットまたはハウジングから解放するまで、そこに係合させられたままであり、弾性装置の牽引反動および制動装置の制動要素を用いて、所望の緩衝を生じる。
【００２７】
そのようなシャッタの外部または手動の開閉に続いて、フックの湾曲部は、カバーの小さい側壁の端部上に引っ掛かり、それらの接触ハウジング上に作用する同じストライカとの新しい接触によって、フックがそれらのヒンジ上で回転し、小さい側壁の端部にある湾曲部をそれらの対応する摺動装置とともに解放するまで、そこに係合したままとなることができ、対応する装置の弾性装置および制動要素の牽引反動を用いて、所望の緩衝を生じる。
【００２８】
安全フックが、フックに結合される場合、同時に安全フックが、もう一方のフックに結合され、安全フックが、傾斜壁部に隣接する曲げられた壁部を備え、装置の取付けの最初の段階、またはそれが摺動シャッタに新たに取り付けられるときの後の段階で、ストライカに、曲げられた壁部を引っ掛けることができることが好ましい。
【００２９】
特に、好ましくは、緩衝ボックスは、シャッタの上面の任意の位置に取り付けることができ、ならびに、上述の解決法に対して逆さまにし、結果的にストライカの位置を調整することができる。
【００３０】
これらおよびその他の目的は実際、特に、シャッタの最終的な運動を緩衝するための単一のボックスの設計を規定する装置を用いて達成され、このボックスは、開閉段階の両方で使用され、このボックスは、たとえばシャッタ自体の支持および長手方向摺動ブラケットのうちの１つなどに取り付けることができ、このボックスは、特によく知られた粘性流体回転タイプの、２つの対向する制動装置を有し、その対応する歯付きハブは、このボックスと一体の長手方向ラックの歯と直接噛み合い、各制動装置は、それぞれの摺動装置に結合され、摺動装置は、ボックス自体によって長手方向に案内され、牽引により動作するその対応する弾性装置に結合され、弾性装置の反対側の端部は、もう一方の摺動装置に結合され、最後にこの摺動装置は、フックを有し、フックは、対応するストライカとの接触により、対応する制動区間を作動させ、かつ停止させ、これらのストライカは、案内レール付近の空洞の屋根部に固定され、閉じられる開口部上の、シャッタの完全な開位置および閉位置付近に取り付けられる。
【００３１】
特に、この革新の主な特徴は、シャッタを開閉するときに使用することができるように、シャッタの最終的な運動を緩衝するための単一のボックスを設計することであり、このボックスは、たとえばこのシャッタの支持および長手方向摺動ブラケットのうちの１つ、またはシャッタの上面上の２つの独立した固定ブラケットに、取り付けることができる。このボックスは、好ましくは、よく知られた粘性流体回転タイプの２つの対向する制動装置を有し、その対応する歯付きハブは、ボックス自体と一体の単一の長手方向ラックの歯と直接噛み合い、各制動装置は、それぞれの摺動装置に結合され、摺動装置は、ボックス自体によって長手方向に案内され、その対応する弾性装置に結合され、弾性装置は、もう一方の摺動装置に結合される反対側端部を有し、各摺動装置はまた、フックを有し、フックは、間隙が閉じられるシャッタの完全な開および閉位置付近に構成された、固定されたピンとの接触により、対応する緩衝区間を作動および停止させる。
【００３２】
提案された解決法のよりよい理解および指示された目的の達成の裏づけを、純粋に例示用かつ非限定的である構造の形に従い、図面を用いて、以下でより詳細に説明し、また図示する。
【考案を実施するための最良の形態】
【００３３】
全ての図は、同じ参照番号を有する同じ詳細を示すことを理解されたい。
【００３４】
様々な図において例示目的で示される構造的な解決法によれば、摺動シャッタの開閉運動を緩衝するための改善された装置は、図３および図４に概略的に示すように、摺動シャッタ３の上縁部に固定されたブラケット１または２の一方に取り付けられる緩衝ボックス２０で基本的に製作され、その滑らかさは、同じトラック６に沿って移動する対応するアイドラ摺動ホイール４および５によって保証され、トラック６は、前記シャッタ３を用いて開閉されるべきである空洞８の、上面７上に取り付けられた基部プレート１２と一体である。
【００３５】
再び図示の解決法によれば、同様にブラケット１の一端部から一体であるこの緩衝ボックス２０が、第２のブラケット９によって摺動シャッタ３の縁部に固定される一方、上面７にて、基部１２と一体の第２のトラック６’もまた、別の摺動扉の緩衝運動のために取り付けられることを、同じ図３〜図４が示す。
【００３６】
従来技術によれば、摺動ホイール４および５は、各シャッタ３の高さおよび垂直性を調整するための対応する各プレート１０および１１をそれぞれ間置することによって、それぞれ対応するブラケット１および２に固定され、一方、基部プレート１２は、そこからトラック６および６’が出ており、たとえばねじ１６によって上面７に固定されており、トラック６および６’を視界から隠す簡便な補助壁部１３と、基部１２を強化するリブとして作用する補助壁部１４とを有する。
【００３７】
当然、支持ブラケット１〜２、および摺動ホイール４、５上の調整プレート１０、１１は、既に市販されているがボックス２０および以下で説明するその付属品によってもたらされる本発明の解決法の革新ではない形を含む、様々な形で設計することができる。このボックス２０は、空洞８が開閉されるときに、シャッタ３の両側上で作用し、最終移動区間を緩衝することができる。
【００３８】
図５を参照すると、緩衝ボックス２０は、ボックス形状の基部（構築されたボックス基部）２１およびカバー３０で製作され、基部２１およびカバー３０は、弾性牽引装置６０によって互いに結合される１対の対向する摺動装置４０および５０を、取り囲み、案内する。これらの摺動装置４０、５０はそれぞれ、前記弾性装置６０の牽引に逆らって作用する、粘性流体回転制動装置７０’、７０’’を有する。
【００３９】
より詳細には、ボックス形状の基部２１は、特別な内部空洞２２を有し、内部空洞２２は、長手方向開口軽量化スリット２３および下方開口スリット２４を備え、下方開講スリット２４は、１対の凹んだ横方向スロット２５および２６を有する。長手方向開口軽量化スリット２３は、ボックス２０の側壁内に構成される。下方開口スリット２４は、ボックス２０の底壁内に構成される。好ましくは、１対の凹んだスロット２５、２６は、下方開口スリット２４またはその下方から、ボックス２０の基部２１内へと続く。
【００４０】
ボックス２０の長手方向空洞２２の中央部内に、構築されたボックス基部２１と一体の少なくとも１つのストライカ２８が、対向する摺動装置４０および５０の移動を互いに向かう方向に制限するように配置されている。
【００４１】
上述のボックス２０の下方開口スリット２４は、スロット３２、または壁部３１を貫通する開口部を通る、たとえば自己タッピングねじなどの固定具によって、重なるカバー３０およびその案内壁部３１により片側が閉じられる。
【００４２】
このカバー３０はまた、下方開口スリット２４の長さより少し短い小さい側壁３３を有し、一方、その反対側にバーまたは長手方向縁部３５を有し、その内側上にラック３６の歯を有する。特に、図６から分かるように、小さい側壁３３は取付け位置内で、案内壁部３１から下向きに延びる一方、案内壁部３１は、その反対の上方側部上にバーまたは長手方向縁部３５を有する。図６は、カバー３０の内側が、バー３５を有することを強調し、バー３５は、たとえばねじを用いて、ラック３６の歯付き下方縁部とともに同じカバーに固定される。
【００４３】
既に具体的に述べたように、ボックス２０の空洞２２によって形成された座部内に、自由に摺動する１対の摺動装置４０および５０があり、摺動装置４０および５０は、対応する粘性流体制動装置７０’および７０’’を有し、粘性流体制動装置７０’および７０’’は、弾性装置６０によって互いに結合されており、緩衝作用を引っ掛け、かつ外すための、それらの対応する装置を有する。これらの摺動装置４０、５０、およびそれらの構成要素は、４０、５０としてともに示されている。より詳細には、図７に示すように、摺動装置４０は、楕円形のハウジング４１を有し、ハウジング４１は、粘性流体制動装置７０’をその歯付きピニオン７１’とともに収容する。
【００４４】
同じ摺動装置４０はまた、１対のプロング４２、４３を有し、プロング４２、４３は、横断スリット４５に連結された空洞４４を形成するように形状付けされ、プロング４２付近にその端部を有する貫通穴４６が存在することにより完成され、貫通穴４６は、その最初の部分よりも狭い直径を選択的に有する。特に、１対のプロング４２、４３は、横断スリット４５を有する「Ｃ」様の形状を有し、スリット４５は、「Ｃ」の垂直壁部の中央から水平に、楕円形ハウジング４１の方向で壁部内へと続く。貫通穴４６は、垂直方向に続き、横断スリット４５を貫通する。
【００４５】
同様に、図８に示すように、摺動装置５０も、粘性流体制動装置７０’その歯付きピニオン７１’’とともに収容する、楕円形空洞５１を有し、また１対のプロング５２、５３も有し、プロング５２、５３は、空洞５４を形成するように形状付けされ、横断スリット５５に連結され、かつ貫通穴５６の存在により完成され、貫通穴５６は、好ましくはその最初の部分より狭い直径を有するその端部を、プロング５２付近に有する。
【００４６】
摺動装置４０および摺動装置５０のそれぞれの貫通穴４６、５６は、ヒンジ４７および５７のそれぞれの収容された端部４７ａおよび５７ａであり、好ましくは圧力下で、対応するホック４８および５８を、それぞれ同じ摺動装置４０および５０に結合する。
【００４７】
前記摺動装置４０および５０が、ボックス２０の空洞２２内に取り付けられる場合、フック４８および５８は、それらの動作を制御するストライカピン８０に衝突するために外部になければならないが、カラー４８ａ、５８ａは、同じフック４８、５８に結合され、対応する摺動装置４０、５０に向かい合ってスペーサとして作用し、ボックス２０の下方開口スリット２４に沿った案内部として作用する。図７、図８、および図１０に示すように、フック４８、５８は、大体円筒形であり、軸方向に穿孔されたカラー４８ａ、５８ａ、平行の貫通穴４８ｂ、５８ｂ、ならびに、分岐したハウジング４８ｄ、５８ｄに対向する湾曲部４８ｃ、５８ｃを有する。
【００４８】
フック４８、５８の動作のための安全上の注意は、同じく図７、図８、および図１０に示されているが、以下でより詳細に述べられる。
【００４９】
既に述べたように、摺動装置４０および５０のそれぞれの空洞４４および５４によって形成されたキャビティは、図５および図９に示すように、２つの制動装置７０’および７０’’の制動作用に対抗する同じ２つの摺動装置４０および５０を結合する、弾性牽引装置６０の端部を収容するために使用される。そのことは、前記弾性装置６０が、革新的に、特に弾性材料で製作された２重の同心の螺旋ばね６１、６４で製作され、そのため、張力が加えられるときに必要とされる作動力が過度に変化する可能性がないことを示す。というのもその作動力は、弱い、またはいずれにしても装置７０’および７０’’の制動作用を超えない、２つの反動の合計であるからである。
【００５０】
特に、外側ばね６１は、小穴形状の端部６２および６３を有し、同時に、内側ばね６４は、小穴形状の端部６５および６６を有する。内側ばね６４の第２の小穴６５は、選択的に、外側ばね６１の第１の小穴６２の内側にあり、それと同心であり、内側ばね６４の第１の小穴６６は、外側ばね６１の第２の小穴６３の内側にあり、それと同心である。または、これが逆になる。１対のばね小穴６３、６６を、摺動装置４０のスリット４５内に収容した後に、牽引ばね６１、６４のもう一方の対のばね小穴６２、６５を、もう一方の摺動装置５０のスリット５５内に収容することにより、次いでヒンジ４７および５７を、穴４６および５６内に挿入して、小穴６２、６３、６５、６６を、対応するスリット４５、５５内に固定することができる。図５および図９において強調されるように、同じ摺動装置４０および５０の弾性化された結合を達成するために、ヒンジ４７および５７は、特にボックス２０の外側下方からフック４８および５８を挿入した後に、穴４６および５６内に挿入され、ボックス２０の空洞２２の内側で、それらの最小および最大の牽引を可能にする。すなわち、フック４８および５８は、ヒンジ４７および５７に対して垂直な平面内で回転可能である。
【００５１】
当然、２つの摺動装置４０および５０を弾性装置６０と結合する前に、制動装置７０’が、一方の摺動装置４０のハウジング４１内に配置され、もう一方の制動装置７０’’が、もう一方の摺動装置５０の空洞または楕円形ハウジング５１内に収容される。
【００５２】
その摺動装置４０および５０が既に装備され、ここまでに説明したその他の部品が既に装備された、ボックス形状の基部２１上に配置されたカバー３０は、制動装置７０’および７０’’の歯付きピニオン７１’および７１’’として形成されたハブの歯と、特に横方向に延びるバーまたは縁部３５のラック３６の歯との噛合いを可能にする。
【００５３】
たとえばフック４８上に作用することにより、摺動装置４０をハウジング２２の左側縁部に向かって引っ張り、実質的に弾性装置６０に応力を加えずに、ラック３６からの歯付きピニオン７１’の噛合いを妨げず、また摺動装置５０をストライカ２８に衝突するまで引っ張ることができる。摺動装置４０を手で引っ張り続けることによって、摺動装置４０を、引っ張りばね６１、６４の力を超えてボックス２０の左側縁部まで引き寄せることができ、引っ張りばね６１、６４は、引っ張ることを停止すると、反動し、摺動装置４０自体をハウジング２２の中心に向かって動かす傾向があり、制動装置７０’の抵抗を受け、すなわち制動装置７０’は、弾性材料６０の反動を緩衝する。同様に、弾性装置６０は、空洞２２自体の右側縁部に向かって摺動装置５０を引っ張った後に、摺動装置５０上に作用することによって緩衝される。
【００５４】
ここまでに説明した構成要素とともに基本的に組み立てられるボックス２０は、図４に示すように、たとえばブラケット１および９などを使用してシャッタ３に取り付けられ、したがって、そのフック４８または５８のうちの一方がストライカ８０、８０’のうちの一方に衝突するまで、トラック６に沿って平行移動するように押される。ストライカ８０、８０’は、空洞８を開きまたは閉じるためのシャッタ３自体の平行運動のための移動区間の、開始部と終端部に配置され、この移動を緩衝するための区間の開始部または終端部を決定する。
【００５５】
上記から、弾性装置６０の張力が限界を超えていても、弾性装置６０は決して、フック４８、５８を前記ストライカ８０、８０’に衝突させないことを考えると、緩衝装置２０をシャッタ３に取り付ける段階で、対応するストライカ８０および８０’に自動的に引っ掛からないことを推察することができる。
【００５６】
この局面を克服するために、かつ、問題となっている装置の最高の動作安全性を保証するために、第１の安全フック９０が、一方の摺動装置４０に取り付けられ、第２の安全フック１００が、もう一方の摺動装置５０に取り付けられる。
【００５７】
図７を参照すると、フック９０は、フック４８へのヒンジ９１とともに枢動させられ、外側摺動部またはライザ９０ｂを備える折れ曲がった部分９０ａを有する。別のヒンジ９２が、安全フック９０のスロット９０ｃ内に収容されており、対向端部９２ａを有し、対向端部９２ａは、案内ブロック９３の底部上に製作されたスロット９３ａに沿って摺動することができ、弾性らせん９４によって巻き付かれ、アーム９４ａが、安全フック９０の円筒形部品９０ｄに衝突する。特に、ヒンジ９１は、安全フック９０の円筒形部品９０ｄを通って延びる。ヒンジ９１、９２は、垂直方向に延び、平行で互いに離隔されたそれらの軸を有する。
【００５８】
同様に、かつ図８を参照すると、もう一方のフック１００は、もう一方のフック５８の穴５８ｂへのヒンジ１０１とともに枢動させられ、外側摺動部またはライザ１００ｂを備える折れ曲がった部分１００ａを有し、別のヒンジ１０２は、安全フック１００のスロット１００ｃ内に収容され、対向端部１０２ａを有し、対向端部１０２ａは、案内ブロック１０３の底部上に製作されたスロット１０３ａに沿って摺動することができ、弾性らせん１０４によって巻き付かれ、アーム１０４ａが、安全フック１００の円筒形部品１００ｄに衝突する。
【００５９】
前記安全フック９０および１００は、それらの案内ブロック９３および１０３とともに、かつ一般的なフック４８、５８とともに、図１０において強調されるようなボックス２０の下方スリット２４に沿って摺動させられる。
【００６０】
ボックス２０がたとえばブラケット１などによって一体に固定される、シャッタ３の平行移動に続く、ボックス２０の平行移動とともに、フック４８および５８は、固定されたままのストライカ８０、８０’から解放されるが、ストライカによって、フックのヒンジ４７、５７上で回転するように押され、フックのハウジング４８ｄ、５８ｄ内で平行移動し、ボックス２０の下方開口スリット２４の端部にある、横方向スロット２５および２６によって形成された空洞内に収容されることを、同じ図１０が示す。
【００６１】
これらのフック４８、５８が、前記対応するスロット２５、２６内に収容されるとき、弾性装置６０は、張力がかけられたままであるが、移動するシャッタ３を手で引っ張るための通路に沿って、ストライカ８０または８０’に新たに衝突するそれらの湾曲ハウジング４８ｄ、５８ｄによって、同じフック４８、５８がそれらのヒンジ４７、５７上で強制的に回転させられるまで、弾性装置６０は、それらを妨げないことができない。
【００６２】
フック４８または５８は、スリット２４の凹部２５、２６内の妨害位置にて解放され、弾性装置６０は、対応する摺動装置４０または５０を、それがおそらくボックス２０のストライカ２８に衝突するまで、空洞２２の中央へと迅速に運ぶ傾向がある。摺動装置４０および５０上にある制動装置７０’および７０’’が、弾性装置６０のこの反動に対抗し、すなわち、提案される主な目的に従って、ボックス２０によって形成された単一の装置を用いて、空洞８上のシャッタ３の開閉のための最終的な移動の所望の緩衝を達成する。
【００６３】
フック４８および５８のそれぞれの湾曲部４８ｃおよび５８ｃの存在によって、第２の同時または交互の形の、同じフック４８、５８の妨害が、図９のようなそれらの最大開位置において可能になる。実際、ボックス２０の空洞２５および２６内のフックのハウジングとともに、固定されたストライカ８０、８０’上をフックの分岐４８ｄ、５８ｄが通過することによって生じる、これらのフック４８、５８の回転とともに、それらの湾曲部４８ｃ、５８もまた、カバー３０の小さい側壁３３の端部に引っ掛かり、それらの解放は、次にそれらの湾曲ハウジング４８ｄ、５８ｄが固定されたストライカ８０、８０’を通過することによる、同じフック４８、５８の回転によって保証される。
【００６４】
上述のように、初期設置中、またはシャッタ３を強制的に移動させるときに、分岐部４８ｄ、５８ｄを１つまたは両方の固定されたストライカ８０、８０’に引っ掛けることは、自動的ではない。そのため、既に説明したように、安全フック９０および１００が設けられる。
【００６５】
シャッタ３を空洞８の開閉端部に向かって平行移動させる間に、それぞれ安全フック９０、１００のライザ９０ｂおよび１００ｂによって形成された、傾斜し、または高くなった端部は、ストライカ８０、８０’に衝突し、強制的に持ち上げられ、それらのヒンジ９０ｄ、１００ｄ上で回転し、回転は、図１０に見られるような、対応する案内ブロック９３、１０３のスリットまたはスロット９３ａ、１０３ａ内にある、安全フック９０、１００のもう一方のヒンジ９２、１０２によって形成される、ペグによって調整される。
【００６６】
それらの回転はまた、固定されたストライカ８０、８０’の障害を乗り越えてきたばね９４、１０４によって調整され、ばねは、同じ安全フック９０、１００を下降させ、同じストライカ８０、８０’を、それらの湾曲部９０ａ、１００ａ内に収容させ、同じフック４８、５８が新しいストライカ８０、８０’に衝突し、既に上記で説明した緩衝段階を正常に作動させるためにその上に引っ掛かるまで、それらの摺動装置４０、５０およびそれらの対応するフック４８、５８とともに、下方スリット２４に沿ってそれらを引っ張る。
【００６７】
空洞８の開閉時にシャッタ３の最終的な運動を緩衝するための、本発明の革新的な装置を製作する主な部品、ならびに同じ装置を取り付けることができる付属部品についてこうして説明してきたが、その動作を、特に図１１および図１６を利用しながら以下で要約する。それらの図では、図形的な表現を単純化するために、トラック６、６’、および図３および図４によって確認することができるその他の部品は示されていない。
【００６８】
図１１および図１２は、シャッタ３自体が空洞８上の正常の閉位置にあり、同時にシャッタ３’が空洞８’上で正常に閉じられているときの、シャッタ３に取り付けられたボックス２０の位置および状態を強調する。この閉位置において、第１のフック４８は、この状態の安定性を決定するストライカ８０によって停止され、第２のフック５８は依然、フック４８を最小限に牽引する位置にある弾性装置６０を用いて、下方スリット２４の凹状横方向スロット２６で形成されたハウジング内に収容され、妨害される。空洞８を開くために、シャッタ３を手で押し始めると、ボックス２０もまた、ブラケット１および９によってボックス２０がそこに固定されたシャッタ３とともに前進し、その結果、第１の摺動装置４０上およびそのフック４８上への弾性装置６０の牽引力を増大させ、同じ摺動装置４０内に組み込まれた装置７０’の制動作用は、ストライカ８０から摺動装置４０を外すことを減速および遅延させる。
【００６９】
その作用の合計が、シャッタ３を手動で押すことに対する反動を均一に分配することを可能にする、ばね６１および６４の高い弾性は、制動装置７０’および７０’’の指定された制動力に関連し、シャッタ３を平行移動させるためのアイドラホイール４および５用のトラック６に沿った、ストライカ８０および８０’の正しい長手方向位置を決定する。
ストライカ８０、８０’は、基部プレート１２の上面上のトラック６、６’に対して平行に構成された、ストライカトラック内に配置される。
【００７０】
図１１〜図１３および図１５は、ストライカ８０、８０’とともに、ストライカ８１、８１’も示しており、シャッタ３’の緩衝された平行移動用の、トラック６’のいずれかの側であることが理解されなければならない。トラック６’は、異なるブラケット１’、２’によって支持され、別の同一の緩衝ボックス２０’を有するが、これは示す必要があるとみなされなかった。
【００７１】
シャッタ３の手動牽引および第１の摺動装置４０の制動装置７０’の制動作用を続けると、ボックス２０の前進により、対応する横方向スロット２５によって形成されたハウジングが、その中に収容されたままの同じフック４８と整列させられ、そのヒンジ４７上で回転し、それ自体を前記ストライカ８０から解放するまで、フック４８は、ストライカ８０と係合させられたままとなる。図１０、ならびに図１３および図１４に示すように、この状況で、開いているシャッタ３への最初の緩衝作用が止まるが、空洞８の完全な開放に向かって手で押す作用は続き、フック４８は、第１の横方向スロット２５によって形成された空洞内に収容され、もう一方のフック５８は、下方スリット２４の２つの端部にて、もう一方の第２の横方向スロット２６によって形成された反対側の空洞内に収容され、したがって、弾性装置６０は、連続して緊張する。
【００７２】
シャッタ３およびその緩衝ボックス２０を開く方向に沿って続く、もう一方のフック５８は、もう一方のストライカ８０’と衝突し、それ自体を、ハウジング５８ｄとともに埋め込み、凹部またはハウジング２６から持ち上がり、空洞８上のその完全に開いた位置にシャッタ３が到着すると最後の緩衝段階を開始することを、図１５および図１６は強調する。
【００７３】
実際、摺動装置５０およびもう一方の第２のフック５８と一体の、制動装置７０’’は、もう一方のストライカ８０’が、第１のフック４８に衝突しハウジング４８ｄ内にとらえられたままとなり、完全に開いた空洞８の状態の安定性を保証するまで、弾性装置６０の反動、およびシャッタ３に作用する何らかの残りの手動の推力の反動を制動し、その最終的な移動を減速させ、調整する。当然、空洞８を再び閉じるときは、第１のフック４８がもう一方のストライカ８０’から妨害されないようにするために、シャッタ３を適切に引っ張り、同じ空洞８を閉じるときに所望の緩衝作用を可能にするために、ここまでに説明された段階を反転させれば十分である。
【００７４】
これらすべてから、単一の緩衝箱を用いると、提案される主な目的によって、空洞を開くときおよび閉じるときの両方にシャッタの移動を調整することができることが明らかである。
【００７５】
２つの弾性が高いらせんばね６１および６４を引っ掛けることにより、弾性装置６０は、過度に長い箱、またはそれらの力を分散させる妨害装置を有する箱を取り付けることを必要とせずに、制動装置７０’および７０’’の作用に対して均一に反動することが可能になり、さらに別の特定の目的と一致する。
【００７６】
上記の付属部品を備える緩衝ボックス２０は、シャッタ３を摺動させるために取り付けられなければならない、各タイプのブラケット１、２のうちの１つに結合させることができ、または、各タイプのブラケットならびにそれ自体の任意のブラケット９に取り付けることができ、実際それ自体を、均一かつ任意の摺動シャッタに対して取付け可能にし、さらに別の特定の目的と一致する。
【００７７】
同じ緩衝ボックス２０はまた、ピストンによる緩衝を使用することにより、臨時のまたは計画された保守の問題を全てなくし、さらに別の特定の目的に一致する。
【００７８】
当然、例示の目的でここまでに説明した構造的解決法はまた、まず３つまたは４つのシャッタを結合させる可能性を有し、トラック６、６’を適当に延長し、上面７または基部プレート１２上に適当に取り付けられたさらなるストライカ８０、８０’をそれらに設ける、ほかの構造的な形で設計することができ、同時に、同じ改善された装置２０は、複数のシャッタまたは可動壁に使用することができ、ここでも同様に、各可動シャッタまたは壁を開閉するための最終的な移動を緩衝するために、単一のアイテムとして取り付けられる可能性を有する。
【００７９】
同様に、制動装置７０’および７０’’の制動作用に対する反動の均一性および一貫性への、対応する効果を有することができる別の弾性装置６０で、１対のらせんばね６１、６４を置換することが可能であり、同時に、ストライカ８０、８０’および８１、８１’の位置を調整することにより、ボックス２０のレイアウトを逆にすることが可能である。
【００８０】
既に述べたように、下方開口スリット２４の側方スロット２５およびハウジング２６上にのみ作用する、フック４８および５８の妨害を保証することができ、同時に、湾曲部４８ｃ、５８ｃを、カバー３０の小さい側壁３３、またはボックス２１の基部の対応する壁部の端部に引っ掛けることにより、同じ妨害を保証することが可能であり、同時に、ストライカ８０、８０’および／または８１、８１’を、開閉される空洞８、８’の上面７上で、様々に構成することができる。
【００８１】
これらおよびその他の対応する修正および調整は、いずれにしても、保護される主題の内容の創造性の一部であることを理解されたい。
【図面の簡単な説明】
【００８２】
【図１】２つ以上の摺動シャッタの摺動ホイールおよび支持ブラケットを支持するための、１対のトラックおよび関連する付属部品とともに、セクションバーが上に取り付けられた、家具のアイテムの上面を示す垂直断面図である。その摺動シャッタ上に、家具の前記アイテムの多くのキャビティを開閉するための、問題となっている装置が取り付けられるべきである。
【図２】摺動ホイール用の支持ブラケット、およびシャッタ自体の最終的な開閉運動を緩衝するための問題となっている改善された装置を備える、図１の家具のアイテムのための摺動シャッタの上方部分を示す垂直断面図である。
【図３】ブラケット、摺動ホイール、およびシャッタ緩衝装置が、家具のアイテムの上面のトラックのうちの１つに既に取り付けられている、家具のアイテムの上面、および図１および図２のようなその摺動シャッタの上方部分を示す、垂直断面図である。
【図４】上面の一部と、シャッタの上方部分のうちの１つと、摺動および支持ホイールを有する関連するブラケットと、図３に示すアセンブリによる、前記ブラケットのうちの１つへのシャッタ自体の緩衝装置の取付けとを示す、家具のアイテムの上面の上方から見た斜視図である。
【図５】図４で既に示した、問題となっている緩衝装置を形成するカバーおよびその他の部分を示す、コンテナボックスの分解斜視図である。
【図６】図５のボックスに結合された同じカバーを、裏返した位置で示す斜視図である。
【図７】図５で組み立てて示すような、図４のボックスの底部の左側に配置される、摺動装置とその緩衝段階を作動させるためのフックとを示す斜視図である。
【図８】図５で組み立てて示すような、図４のボックスの底部の右側に配置される、摺動装置とその緩衝段階を作動させるためのフックとを示す斜視図である。
【図９】図７および図８のような２つの左右の摺動装置、ならびに、作動フックを結合する２重の弾性装置を引き離す、それらの作動フックを示す斜視図である。
【図１０】問題となっている緩衝装置を作動させる固定された点上に引っ掛かる部品に結合され、例示のために示される図４および図５のボックスを、作動フックが最大距離離隔された状態で下方から示す図である。
【図１１】２つの空洞を有し、両方のシャッタが対応する空洞を取り囲む、家具のアイテムを示し、２つのシャッタのうちの一方に備えられた図５の緩衝ボックスの位置を強調する平面図である。
【図１２】図１１の緩衝ボックスの動作状態を示す拡大平面図である。
【図１３】図１１の図に対応するが、１つのシャッタが、最初の緩衝段階を乗り越えその空洞を完全に開くための最終的な緩衝前の、その手動平行移動段階にある、平面図である。
【図１４】図１３の緩衝ボックスの動作状態を示す拡大平面図である。
【図１５】図１１の家具の同じアイテムを、１つのシャッタがその最終的に緩衝された開放段階にある状態で示し、図４および図５のようなその緩衝ボックスの位置を強調する、平面図である。
【図１６】図１５の緩衝ボックスの状態を示す拡大平面図である。
【符号の説明】
【００８３】
１  ブラケット
２  ブラケット
３  シャッタ
３’  シャッタ
６  トラック
６’  トラック
９  ブラケット
２０  緩衝ボックス
２１  ボックス基部
２２  長手方向空洞
２４  長手方向下方スリット
２５  横方向スロット
２６  ハウジング
３０  カバー
３１  縁部
３３  縁部
３６  ラック
４０  摺動装置
４７  ヒンジ
４８  フック
４８ｃ  湾曲部
４８ｄ  接触ハウジング
５０  摺動装置
５７  ヒンジ
５８  フック
５８ｃ  湾曲部
５８ｄ  接触ハウジング
６０  弾性装置
６１  らせん牽引ばね
６２  小穴
６３  小穴
６４  らせん牽引ばね
６５  小穴
６６  小穴
７０’  制動装置
７０’’  制動装置
８０  ストライカ
８０’  ストライカ
８１  ストライカ
８１’  ストライカ
９０  安全フック
９０ａ  壁部
９０ｂ  傾斜壁部
１００  安全フック
１００ａ  壁部
１００ｂ  傾斜壁部
【図１】
0003149773.tif 000003
【図２】
0003149773.tif 000004
【図３】
0003149773.tif 000005
【図４】
0003149773.tif 000006
【図５】
0003149773.tif 000007
【図６】
0003149773.tif 000008
【図７】
0003149773.tif 000009
【図８】
0003149773.tif 000010
【図９】
0003149773.tif 000011
【図１０】
0003149773.tif 000012
【図１１】
0003149773.tif 000013
【図１２】
0003149773.tif 000014
【図１３】
0003149773.tif 000015
【図１４】
0003149773.tif 000016
【図１５】
0003149773.tif 000017
【図１６】
0003149773.tif 000018
【手続補正書】
【提出日】平成21年2月9日(2009.2.9)
【手続補正１】
【補正対象書類名】実用新案登録請求の範囲
【補正対象項目名】全文
【補正方法】変更
【補正の内容】
【実用新案登録請求の範囲】
【請求項１】
シャッタの開閉運動の最後の部分を緩衝可能にするために、単一のアイテムとして各シャッタ（３）または摺動仕切りに取り付けられる、特に家具用の摺動シャッタ（３）である摺動シャッタ（３）を開閉するための緩衝装置であって、緩衝ボックス（２０）で基本的に製作され、前記緩衝ボックス（２０）は、前記個々のシャッタ（３）を支持し摺動させるための、それぞれのブラケット（９）を用いて、またさらにはブラケット（１、２）上に取り付けられるべきであり、このボックス（２０）が、回転タイプの２つの対向する制動装置（７０’、７０）を備え、その歯付きハブが、前記ボックス（２０）自体に固定されたラック（３６）と直接噛み合い、各制動装置（７０’、７０’’）が、前記ボックス（２０）自体によって案内されるそれぞれの摺動装置（４０または５０）に結合され、弾性装置（６０）によって一端部に結合され、その反対側の端部が、もう一方の摺動装置（５０または４０）に結合され、両方の摺動装置が、緩衝される移動の最後の区間の対応する作用を作動または停止させるためのフック（４８、５８）を備えることを特徴とする、緩衝装置。
【請求項２】
緩衝ボックス（２０）が、前記下面上にある長手方向下方スリット（２４）を有する構築されたボックス基部（２１）で製作され、そのフランクのうちの１つが、カバー（３０）の縁部または案内壁（３１）によって好ましくは閉じられ、前記下方スリット（２４）は、１つまたは複数の前記シャッタ（３、３’）を平行移動させるためのトラック（６、６’）付近に取り付けられた、いくつかのストライカ（８０、８０’および／または８１、８１’）と差し向かいで、前記ボックス（２０）の前記内部緩衝部分を、引っ掛け、かつ外すために、前記外部作動部品と連結させることができることを特徴とする、請求項１に記載の装置。
【請求項３】
前記構築されたボックスまたは基部（２１）が、長手方向空洞（２２）を有し、前記長手方向空洞（２２）が、前記構築されたボックス基部（２１）の前記長手方向空洞（２２）の境界を画定する前記カバー（３０）と協働して、１対の摺動装置（４０、５０）を収容し、その長手方向平行運動を案内することができることを特徴とする、請求項２に記載の装置。
【請求項４】
各摺動装置（４０、５０）が、粘性流体回転タイプの前記制動装置（７０’、７０’’）を有し、その歯付きピニオン（７１’、７１’’）が、前記ボックス（２０）に長手方向で結合されたラック（３６）の歯と直接噛み合うことを特徴とする、請求項２または３に記載の装置。
【請求項５】
前記ラック（３６）が前記カバー（３０）と一体であることを特徴とする、請求項４に記載の装置。
【請求項６】
前記摺動装置（４０、５０）を、それらの装置（７０’、７０’’）の制動力を超えて互いに近づけるために使用される、牽引により動作する前記弾性装置（６０）によって、同じ摺動装置（４０、５０）が互いに結合されることを特徴とする、請求項１から４のいずれか一項に記載の装置。
【請求項７】
前記弾性装置（６０）が、特に弾性材料製の２重のらせん牽引ばね（６１、６４）で製作され、一方の前記ばね（６１）が、頭部フックまたは小穴（６２、６３）を備え、ばね（６４）の内側にありそれと同軸のもう一方のばねが、２つの摺動装置（４０、５０）上に引っ掛けることができる頭部フックまたは小穴（６５、６６）を備えることを特徴とする、請求項６に記載の装置。
【請求項８】
前記構築されたボックス基部（２１）の前記下方スリット（２４）が、１対の横方向スロット（２５）および／またはその２つの端部付近に取り付けられたハウジング（２６）を有することを特徴とする、請求項１から７のいずれか一項に記載の装置。
【請求項９】
前記カバー（３０）が、前記構築されたボックス基部（２１）の前記下方スリット（２４）より少し短い、小さい側壁または縁部（３３）を有することを特徴とする、請求項１から７のいずれか一項に記載の装置。
【請求項１０】
前記摺動装置（４０、５０）が、それらの対応するフック（４８、５８）に連結され、前記フックが、前記ボックス（２０）の外側にあり、かつ、これらのホック（４８、５８）を、前記シャッタ（３、３’）を摺動および平行移動させるためのトラック（６、６’）付近の、適当な位置に取り付けられたストライカ（８０、８０’および／または８１、８１’）と接触させることにより、前記弾性装置（６０）の牽引作用ならびに前記制動装置（７０’、７０’’）の前記制動作用を作動させることができることを特徴とする、請求項１から９のいずれか一項に記載の装置。
【請求項１１】
そのようなシャッタ（３、３’）の、外部または手動の開閉に続いて、前記フック（４８、５８）を、前記下方スリット（２４）の、それらの対応するスロットまたはハウジング（２５、２６）内に収容することができ、前記フック（４８、５８）は、それらの接触ハウジング（４８ｄ、５８ｄ）上に作用する、同じストライカ（８０、８０’および／または８１、８１’）との新しい接触により、前記フックが前記ヒンジ（４７、５７）上で回転し、それらの対応する摺動装置（４０、５０）とともにそれらのスロットまたはハウジング（２５、２６）から解放されるまで、そこに係合させられたままであり、前記弾性装置（６０）の前記牽引反動および前記制動装置（７０’、７０’’）の前記制動要素を用いて、所望の緩衝を生じることを特徴とする、請求項１から１０のいずれか一項に記載の装置。
【請求項１２】
そのようなシャッタ（３、３’）の外部または手動の開閉に続いて、前記フック（４８、５８）の湾曲部（４８ｃ、５８ｃ）が、前記カバー（３０）の前記小さい側壁（３３）の前記端部上に引っ掛かり、それらの接触ハウジング（４８ｄ、５８ｄ）上に作用する前記同じストライカ（８０、８０’および／または８１、８１’）との新しい接触により、前記フックがそれらのヒンジ（４７、５７）上で回転し、前記小さい側壁（３３）の前記端部にて前記湾曲部（４８ｃ、５８ｃ）をそれらの対応する摺動装置（４０、５０）とともに解放するまで、そこに係合したままとなることができ、前記対応する装置の前記弾性装置（６０）および前記制動要素（７０’、７０’’）の前記牽引反動を用いて、前記所望の緩衝を生じることを特徴とする、請求項１から１０のいずれか一項に記載の装置。
【請求項１３】
安全フック（９０）が、前記フック（４８）に結合され、同時に安全フック（１００）が、もう一方のフック（５８）に結合され、安全フック（９０、１００）が、傾斜壁部（９０ｂ、１００ｂ）に隣接する曲げられた壁部（９０ａ、１００ａ）を備え、前記壁部（９０ａ、１００ａ）は、前記装置（２０）の取付けの最初の段階、またはそれが前記摺動シャッタ（３、３’）に新たに取り付けられるときの後の段階で、前記ストライカ（８０、８０’および／または８１、８１’）に引っ掛けることができることを特徴とする、請求項１から１２のいずれか一項に記載の装置。
【請求項１４】
前記緩衝ボックス（２０）を、シャッタ（３、３’）の前記上面の任意の位置に取り付けることができ、同様に、上述の前記解決法と比べて逆さまにすることができ、結果的に、前記ストライカ（８０、８０’および８１、８１’）の前記位置を調整することを特徴とする、請求項１から１３のいずれか一項に記載の装置。